(57)【要約】【課題】複数のメモリーカードに映像記録ができる映像記録再生装置において、映像記録を連続して行いながら、短時間で複数のメモリーカードを交換できるようにする。【解決手段】複数のメモリーカード５１〜５５に映像記録ができる装置において一括イジェクトボタン３を設け、映像記録中及び映像記録待機中のメモリーカード以外は一括して取り出せるようにする。これにより、映像記録を中断させることなくメモリーカードを交換できる。また記録中のメモリーカードに対応している個別のイジェクトボタン３１〜３５を２回すばやく押すことによって映像記録可能なメモリーカードに映像記録を開始させるとともにイジェクトボタンが押されたメモリーカードは映像記録を中止し、イジェクトされるようにする。【選択図】図１
2006180007.tif 000002
【特許請求の範囲】
【請求項１】
複数の記録媒体に映像を記録再生する映像記録再生装置であって、
記録媒体に映像記録する複数のドライブと、
前記複数のドライブのうち、映像記録中のドライブ及び所定時間以内に映像記録を開始予定である映像記録待機中のドライブを除く全てのドライブに装着された記録媒体を一括でイジェクトするように指示を出す一括イジェクトボタンと、
前記複数のドライブのそれぞれの状態を表示する複数の表示部とを備えた映像記録再生装置。
【請求項２】
前記複数のドライブに対応した複数のイジェクトボタンをさらに備え、
前記複数のイジェクトボタンのうち映像記録中のドライブに対応するイジェクトボタンに対して所定の操作を行うことによって、映像記録待機中又は映像記録可能な記録媒体が挿入されたドライブで映像記録が開始されると共に映像記録中のドライブは記録媒体への映像記録を中止して前記記録媒体をイジェクトする請求項１記載の映像記録再生装置。
【請求項３】
映像記録中のドライブに対応するイジェクトボタンに対して所定の操作を行ったときに、映像記録待機中又は映像記録可能な記録媒体が挿入されたドライブ
が無い場合は、前記映像記録中のドライブは映像記録を継続し、前記表示部はイジェクト不可能であることを表示する請求項２記載の映像記録再生装置。
【発明の詳細な説明】
【技術分野】
【０００１】
本発明は、複数のメモリーカード又はディスク等の記録媒体に映像信号を連続して記録再生する映像記録再生装置に関し、より詳細には、複数の記録媒体のイジェクトに関する。
【背景技術】
【０００２】
従来の複数のディスクを記録再生する映像記録再生装置において、複数のディスクが既に装着されている状態で全てのディスクを交換しようとしたとき、各ディスクに対応する複数のイジェクトボタンのうちの一つを押して一つのディスクを取り出し、これを複数回繰り返すことで複数枚のディスクを交換していた（たとえば、特許文献１参照）。
【０００３】
図６は、従来の映像記録再生装置の構成を示すものである。図６において、１５０は３つの光ディスクを再生できる映像記録再生装置である。１５１は光ディスクカセットであり、１５２は挿抜口であり、１５３はイジェクトボタンである。イジェクトボタン１５３を押すと押したボタンに対応する光ディスクカセット１５１が挿抜口１５２から排出され、光ディスクが交換できる。１５４は表示部で、挿抜口に光ディスクカセット１５１が挿入されている状態や、記録再生状態を表している。
【特許文献１】特開平６−２４３５６９号公報
【発明の開示】
【発明が解決しようとする課題】
【０００４】
しかしながら、前記従来の映像記録再生装置では、すばやく光ディスクをすべて交換したい場合においても、一つずつ光ディスクを交換するため時間がかるという問題点があった。
【０００５】
例えば、スポーツなどの映像を連続記録しなければいけない時、カメラなどの他の機器を操作しながら、映像記録再生装置を操作している状況において、この映像記録再生装置に装着された記録媒体の容量が残り少なくなったとき、映像の連続記録を途切れさせることなくすばやく記録可能なブランクの記録媒体に交換しなければならないという問題点があった。
【０００６】
本発明はこのような問題点に鑑み、複数の記録媒体に対する連続記録を途切れさせることなく記録媒体を交換可能な映像記録再生装置を提供することを目的とする。
【課題を解決するための手段】
【０００７】
前記従来の課題を解決するために本発明の映像記録装置では、個々のメモリーカードを取り出せるイジェクトボタンとは別に一括して、メモリーカードを取り出せる一括イジェクトボタンを有する。
【０００８】
また、メモリーカードが現在記録中の場合、その一括イジェクトボタンの操作にもかかわらずイジェクトを受け付けず、映像信号の記録を続け、映像信号の連続記録が途切れることを防ぐ。
【発明の効果】
【０００９】
本発明の映像記録装置によれば、一括イジェクトボタンを押すことにより、記録媒体をすばやく取り出して交換すことができる。これにより、映像記録中での緊迫した中で、短期間に複数の記録媒体を交換できる。また、映像記録中及び、映像記録待機中のメモリーカードは一括イジェクトボタンの操作にかかわらずイジェクトせずに映像信号を記録し続けることによって、映像記録が途切れるというミスが発生しない。これは、スポーツのように長時間連続映像記録しなければならない場合に顕著な効果がある。
【発明を実施するための最良の形態】
【００１０】
以下、本発明の実施の形態について、図面を参照しながら説明する。
【００１１】
図１は、本発明の実施の形態における映像記録再生装置の正面図である。また、図３は、映像記録再生装置の構成を示すブロック図である。
【００１２】
図１において、１はメモリーカードを記録媒体とした映像記録再生装置である。１１、１２、１３、１４、１５はメモリーカードの挿抜口であり、表示部２１、２２、２３、２４、２５は挿抜口１１〜１５におけるメモリーカードの状態を表している。例えば、映像記録状態なら赤色、記録開始があと１分以内の映像記録待機状態なら赤色の点滅、メモリーカードを装着しているが記録はしていない映像記録可能状態なら青色、またメモリーカードが未挿入であれば、点灯なしである。なお、現在映像記録中のメモリーカードの映像記録可能残量時間が例えば１分以下になった時、記録が引き継がれる予定の次のメモリーカードが映像記録待機状態となる。また、この１分は設定の変更ができる。
【００１３】
表示部２６は、システムコントロール６の指示に基づいてドライブ４１、４２、４３、４４、４５の状態を表示することができる。ドライブ４１、４２、４３、４４、４５は挿抜口１１、１２、１３、１４、１５に対応し、挿入されたメモリーカードに対して映像記録や再生をおこなう。イジェクトボタン３１、３２、３３、３４、３５はドライブ４１、４２、４３、４４、４５のそれぞれに装着されたメモリーカードを取り出すためのボタンである。３は一括イジェクトボタンである。なお、ドライブ４１、４２、４３、４４、４５にはそれぞれメモリーカード５１、５２、５３、５４、５５が装着されているものとする。
【００１４】
ここで、一括イジェクトボタン３を押すと、ドライブ４１、４２、４３、４４、４５に装着されたメモリーカード５１、５２、５３、５４、５５を一括してイジェクトし、すべてのメモリーカードが簡単に取り出せる。ただし、映像記録状態または映像記録待機状態のメモリーカードはイジェクトせず、映像記録状態または映像記録待機状態が維持される。
【００１５】
例えばメモリーカード５１が映像記録状態で、メモリーカード５２が映像記録待機状態、メモリーカード５３、５４、５５が映像記録可能状態であれば、メモリーカード５３、５４、５５がイジェクトされるので、すばやくブランクのメモリーカードと交換できる。
【００１６】
この映像記録再生装置よれば、映像記録中のメモリーカードを誤ってイジェクトすることにより映像記録を中断することもなく、すばやく他のメモリーカードを交換できる。また映像記録中のメモリーカード５１に重要な映像が記録されていてすぐに取り出したい場合、イジェクトボタン３１をすばやく２回押す（ダブルクリックする）ことによって、映像記録先が別の映像記録可能なメモリーカード（例えばメモリーカード５２）に切り替えられて映像記録が開始される。そして、メモリーカード５２への映像記録が開始されたのを確認した上で、メモリーカード５１の映像記録を中断し、イジェクトする。これにより、現在映像記録中のメモリーカードであっても、映像の連続記録を中断させることなくメモリーカードを取り出すことができる。これは例えば次のようなシチュエーションで有用である。すなわち、スポーツの映像記録をしていて重要な場面を記録したメモリーカードを別の担当者に渡すことができ、別の担当者は記録された映像を解析して、試合の相手の状況や、映像記録方法、例えば色調やカメラアングルなど改善、さらに編集してテレビの放映などに活用できる。
【００１７】
図１のように、個々の挿抜口と、個々のイジェクトボタンと一括イジェクトボタン３はこの順番で装置前面の上から並び、一括イジェクトボタン３はイジェクトボタン３１、３２、３３、３４、３５より大きく、かつ、２つの個々のイジェクトボタン（図ではイジェクトボタン３３とイジェクトボタン３４の２つのイジェクトボタン）をあわせたサイズと同じ大きさにしている。これは、個々のイジェクトボタンより大きくすれば、一括イジェクトボタンであるとすぐ分かりご操作を避けられる一方、一括イジェクトボタンが大きくなり過ぎて、他のボタンを配せないといったことが避けられる。
【００１８】
図２は図１と同様の映像記録再生装置を正面から見た図で、図１の映像記録再生装置とは基本的な動作は同じで各構成要素の配置のみが異なっており、挿抜口１１、１２、１３、１４、１５の配置が上下に並んでいる。個々の挿抜口と、個々のイジェクトボタンと一括イジェクトボタン３はこの順番で左から並び、一括イジェクトボタン３はイジェクトボタン３１、３２、３３、３４、３５より大きく、２つの個々のイジェクトボタンと同じ大きさにしている。
【００１９】
次に、本発明の映像記録再生装置の動作について、詳細に説明する。図３は、映像記録再生装置１の制御のブロック図である。ドライブ４１、４２、４３、４４、４５は挿抜口１１、１２、１３、１４、１５に設けられたメモリーカードのドライブであり、映像信号の記録、再生がシステムコントロール６に従って行われる。また、ドライブ４１、４２、４３、４４、４５はメモリーカードを電動式でイジェクトできるので、システムコントロール６の指示に従ってメモリカードをイジェクト可能である。映像信号４は、信号線４８によってＡＤ−ＤＡ変換器５に伝わり、ＡＤ−ＤＡ変換器５でデジタル信号に変換される。変換された信号は信号線５８によりシステムコントロール６に伝わる。なお、ＡＤ−ＤＡ変換器５とシステムコントロール６との間に符号化器を設けてデジタル信号を符号化してからシステムコントロール６に送ってもよい。
【００２０】
システムコントロール６は映像記録再生装置１の記録再生制御の中枢として、映像分配、ドライブ４１、４２、４３、４４、４５への映像記録の開始や中断、イジェクトの指示の伝達、表示部２１、２２、２３、２４、２５へ表示の仕方の伝達を行う。また、イジェクトボタン３１、３２、３３、３４、３５や一括イジェクトボタン３からの指示をうけ、それに基づく判断を行い、ドライブ４１、４２、４３、４４、４５や表示部２１、２２、２３、２４、２５、２６に指示を伝える。
【００２１】
信号線６１、６２、６３、６４、６５はドライブ４１、４２、４３、４４、４５へＡＤ−ＤＡ変換器５からの映像信号を流し、映像記録の開始、中止、イジェクトの指示を伝達する。また、システムコントロール６から表示部２１、２２、２３、２４、２５へドライブ４１、４２、４３、４４、４５からの映像記録中、映像記録待機中、映像記録可能、メモリーカード無し、記録不可等の信号にもとづいて、赤の点灯、赤の点滅、青の点灯、点灯無しの表示の指示を伝える。
【００２２】
表示切替ボタン３６を押せば、そのことが信号線７７を使ってシステムコントロール６へ伝わる。システムコントロール６はこれに対応して表示部２６の表示を切り替える。表示内容としては、ＡＤ−ＤＡ変換器５からの映像信号、ドライブ２１、２２、２３、２４、２５の再生映像信号、これらの信号の部分的な表示、等が挙げられ、システムコントロール６は、表示切替ボタン３６が押される度にこれらの切替指示を信号線６６を使って伝える。
【００２３】
なおドライブ４１、４２、４３、４４、４５に対し、映像記録装置１にそれぞれ、Ａ、Ｂ、Ｃ、Ｄ、Ｅと表示してあり、操作者が混乱しないようになっている。
【００２４】
信号線８１、８２、８３、８４、８５はドライブ４１、４２、４３、４４、４５からシステムコントロール６に現在のドライブの状態、すなわち映像信号の映像記録中、映像信号記録待機中、メモリーカード有り、メモリーカード無しを伝える信号線である。
【００２５】
システムコントロール６はドライブ４１、４２、４３、４４、４５からの信号にしたがって表示部２１、２２、２３、２４、２５、２６にそれぞれのドライブ４１、４２、４３、４４、４５の状態を表すため、映像記録中なら赤、映像記録待機中なら赤の点滅、映像記録可能なら青、メモリーカード未挿入なら無点灯を信号線６１、６２、６３、６４、６５を使って伝える。一括イジェクトボタン３が押されると、信号線７１、７２、７３、７４、７５からシステムコントロール６に伝わりそれぞれのイジェクトボタンに対応したドライブ４１、４２、４３、４４、４５に伝わり、メモリーカードが一括してイジェクトされる。ただし、映像記録中と映像記録待ちの状態のドライブについては反応せず、イジェクトされない。
【００２６】
例えば、ドライブ４１が映像記録中、ドライブ４２が映像記録待機中であれば、メモリーカード５１、５２はイジェクトされず、そのことを信号線８１、８２を使ってシステムコントロール６へ伝える。システムコントロール６は信号線６１、６２を使って、表示部２１及び２２に赤い表示が緩急をつけて、例えば点灯時間が周期的に変化するように点滅するよう指示する。これは、そのメモリーカードが現在イジェクトできないことを表している。一方、システムコントロール６は、信号線６６を使って、表示部２６に文字と簡単な図でドライブ４１、４２がイジェクトできないことを表示させる。
【００２７】
操作者は、映像記録中でも映像記録待機中でもない、イジェクトされたメモリーカード５３、５４、５５を抜いて、記録可能なメモリーカードを挿抜口１３、１４、１５より挿入する。これによりメモリーカードを一括してイジェクトでき、しかも記録中のメモリーカードはイジェクトされずに映像記録を続けるので、映像記録は途切れることがない。
【００２８】
次に、現在記録中のドライブのメモリーカードを強制的に排出したい場合の操作について説明する。例えばドライブ４１に装着されて映像記録中のメモリーカード５１を抜きたいとする。イジェクトボタン３１を２回すばやく押すと、これがシステムコントロール６に伝わり、システムコントロール６から映像記録可能状態または映像記録待機状態のドライブ４２に伝わり、映像記録が開始される。また、システムコントロール６から、先にイジェクトボタンを押されたドライブ４１に映像記録中止の指示が伝わり、そのドライブの映像記録を中止した後にメモリーカード５１をイジェクトする。このようにすることで、短時間にしかも、連続記録を途切らせることなくメモリーカードを交換できる。
【００２９】
なお上記の例の場合、イジェクトボタン３１を２回すばやく押して映像記録中のメモリーカード５１を取り出そうとしても、他に映像記録ができるメモリーカードが映像記録装置１に装着されておらず、システムコントロール６へ映像記録開始の連絡が無ければ、現在映像記録中のメモリカードの映像記録は中断されないし、表示部の表示は映像記録中（赤が点灯状態）から数秒、点滅して、交換できないことを操作する者に伝える。また表示部２６でも、メモリーカード５１の取り出しが不可能であることを文字と簡単な図で表示する。操作者は各表示部の表示によって状況がわかるので、例えばメモリーカード未挿入のドライブ４２にブランクのメモリーカードを挿入するか、一括イジェクトボタン３を押すことにより空き容量のないメモリーカードを排出してそこにブランクのメモリーカードを挿入するかしてから、再度イジェクトボタン３１を２回すばやく押すことにより、映像記録はドライブ４２に移り、メモリーカード５１をイジェクトすることができる。
【００３０】
図４は、一括イジェクトボタン３を押した時の簡単なフローチャートである。
ステップ８７では一括イジェクトボタン３を押すと、信号線７６を使ってシステムコントロール６に伝えられる。ステップ８８ではシステムコントロール６から各ドライブ４１、４２、４３、４４、４５へ信号線６１、６２、６３、６４、６５を使ってイジェクトの指示が伝えられる。ステップ８９ではドライブ４１、４２、４３、４４、４５は指示に従って、メモリーカードをイジェクトするが、映像記録中のドライブ、例えばドライブ４１はイジェクトできないことを、ドライブ４２は映像記録待機中であることを、ドライブ４３、４４、４５はイジェクトしたことを、それぞれ信号線８１、８２、８３、８４、８５を使って伝えられる。ステップ９０ではシステムコントロール６はそれぞれのドライブからの内容により、表示部２１、２２、２３、２４、２５、２６に表示内容を信号線６１、６２、６３、６４、６５、６６を使って伝え、ステップ９１では表示部２１、２２、２３、２４、２５、２６が指示された内容を表示する。
【００３１】
図５は記録中のメモリーカードを強制的にイジェクトするときの簡単なフローチャートである。なお、ここではドライブ４１で映像記録中であるとする。ステップ９３でイジェクトボタン３１が２回すばやく押されると、そのことが信号線７１を使ってシステムコントロール６に伝わる。ステップ９４ではシステムコントロール６よりドライブ４２、４３、４４、４５に記録可能なメモリーカードが無いかの問い合わせが信号線６２、６３、６４、６５を使って伝わる。ステップ９５ではドライブ４２、４３、４４、４５において、映像記録可能状態または映像記録待機中であり映像記録可能なドライブ、例えばドライブ４２を見つけ出し、ドライブ４２で映像記録を開始する。さらにドライブ４２は、映像記録を開始したことを信号線８２を使ってシステムコントロール６に伝える。ステップ９６ではシステムコントロール６がドライブ４１に映像記録を中止して、メモリーカード５１をイジェクトするよう指示が信号線６１を使って伝える。ステップ９７ではドライブ４１がイジェクトを完了したことを信号線８１を使ってシステムコントロール６に伝える。ステップ９８ではシステムコントロール６から信号線６１を使って表示部２１に伝わり、表示部２１及び２６はイジェクトされた状態を表す、つまり赤い点灯がなくなる。
【００３２】
もしステップ９６で映像記録可能なドライブが見つからなかったら、ステップ１００でシステムコントロール６から表示部２１及び２６に信号線６１を使って伝え、表示部２１は赤の点滅を緩急をつけて行い、交換不可能なこと操作者に対して伝える。
【００３３】
かかる構成によれば、複数のメモリーカードに映像信号を記録できる映像記録再生装置において、メモリーカードを一括取り出しできる一括イジェクトボタン３を押せば、映像記録中と映像記録待機中のメモリーカードをのぞいて一括取り出しができることにより、記録済みのメモリーカードをすばやく取り出すことができる。そして、その後イジェクトして空きとなったドライブにブランクのメモリーカードを装着することができる。これにより、記録済みのメモリーカードを映像の連続記録を中断することなく、すばやくブランクのメモリーカードに交換することができる。
【００３４】
また映像記録中のドライブのイジェクトボタンを２回すばやく押すことによって、映像記録は映像記録可能状態または映像記録待機状態のドライブに移行して行われ、その後イジェクトボタンを押されたドライブの映像記録は中断され、メモリーカードはイジェクトされるので、簡単にメモリーカードの交換ができる。これにより、どうしても取り出したい映像を記録したメモリーカードを映像記録を中断させることなく交換できる。
【００３５】
また、映像記録中のメモリーカードのイジェクトボタンを２回すばやく押しても、他に映像信号記録可能なメモリーカードな映像記録装置１に装着されていなければ、そのメモリーカードはイジェクトされずに映像記録が継続され、表示によって交換不可を操作者に伝えるので、映像信号の連続記録は途切れることがない。また操作者はそれを表示で認識できるため、一括イジェクトボタン３を押すなどして、記録済みのメモリーカードをブランクのメモリーカードと交換した後に、映像記録中のドライブのイジェクトボタンを２回すばやくおせば、映像記録はブランクのメモリーカードに移行し、映像記録中のドライブは映像記録を中断し、メモリーカードをイジェクトできる。
【００３６】
なお、本実施の形態において、記録媒体をメモリーカードとしたが、光ディスクやハードディスクとしても良い。
【産業上の利用可能性】
【００３７】
本発明にかかる映像記録装置は、記録媒体を一括してすばやく交換でき、しかも記録中の映像はイジェクトされずに映像を記録しつづけることで映像の連続記録が可能になるので、スポーツ映像の記録や監視記録など、重要でかつ連続して映像撮影する用途等に特に有用である。
【図面の簡単な説明】
【００３８】
【図１】本発明の映像記録再生装置の表面から見た概観図
【図２】本発明の映像記録再生装置の挿抜口の配置を変えた映像記録装置の表面から見た概観図
【図３】本発明の実施操作系統及び映像信号のブロック図
【図４】本発明の一括イジェクトボタン３を押した時のフローチャート
【図５】本発明の映像記録中のドライブのイジェクトボタンを２回すばやく押した時のフローチャート
【図６】従来の映像記録再生装置の概観図
【符号の説明】
【００３９】
１・・・映像記録装置
３・・・一括イジェクトボタン
６・・・システムコントロール
１１・・・挿抜口
２１・・・表示部
２６・・・表示部
３１・・・イジェクトボタン
３６・・・表示切替ボタン
４１・・・ドライブ
５６・・・メモリーカード
６１・・・信号線
８１・・・信号線
１００・・・光ディスク再生装置
１０１・・・光ディスクカセット
１０２・・・挿抜口
１０３・・・表示ランプ
【図１】
2006180007.tif 000003
【図２】
2006180007.tif 000004
【図３】
2006180007.tif 000005
【図４】
2006180007.tif 000006
【図５】
2006180007.tif 000007
【図６】
2006180007.tif 000008